(57)【特許請求の範囲】
【請求項１】
親局装置と複数の子局とを備えた同報無線システムであって、
前記親局装置は、サイレン通報を行うための信号を制御チャネルと通話チャネルで子局へ送信し、
前記複数の子局は、
前記親局装置から前記制御チャネルの信号を受信すると、通話チャネルへ移行し、さらに前記親局装置から前記通話チャネルの信号を受信すると、前記通話チャネルの信号に基づいたサイレン通報を行う第１の子局と、
モータサイレンを有しており、前記親局装置から前記制御チャネルの信号を受信すると、前記モータサイレンを駆動制御してサイレン通報を行う第２の子局と、を有し、
前記親局装置は、サイレン吹鳴終了後に音声通報を行うための音声切替操作が行われると、前記複数の子局へサイレン終了制御信号を送信し、
前記第２の子局は、サイレン終了制御信号を受信すると、モータサイレンの駆動制御から通話チャネルからの音声放送へ切替えることを特徴とする同報無線システム。
【請求項２】
請求項１に記載の同報無線システムであって、
前記第２の子局は、モータサイレンの動作監視を行うサイレン起動制御内部監視部、電子サイレン音を発生させる電子サイレン音発生部、サイレンを吹鳴するスピーカを有しており、前記サイレン起動制御内部監視部がモータサイレンを鳴動できないと判定した場合、前記親局装置から前記制御チャネルの信号を受信すると、前記電子サイレン音発生部が電子サイレン音を発生させ、前記スピーカから前記電子サイレン音を吹鳴することを特徴とする同報無線システム。
【請求項３】
請求項１に記載の同報無線システムであって、
前記第２の子局は、モータサイレンの動作監視を行うサイレン起動制御内部監視部、サイレンを吹鳴するスピーカを有しており、前記サイレン起動制御内部監視部がモータサイレンを鳴動できないと判定した場合、前記親局装置から前記制御チャネルの信号を受信すると、通話チャネルへ移行し、さらに前記親局装置から前記通話チャネルの信号を受信すると、前記通話チャネルの信号に基づいたサイレン通報を行うことを特徴とする同報無線システム。
【発明の詳細な説明】
【技術分野】
【０００１】
本発明は、同報無線システムに関するものである。
【背景技術】
【０００２】
一般的な同報無線システムは、一自治体を基本単位としたシステムであり、当該自治体の主となる行政機関である役所・役場庁舎に親局を設置し、当該行政地域内の屋外や施設内に複数の子局を設置し、親局から防災、災害、広報などの報知情報を子局に対して同報無線送信し、子局で受信した報知情報をスピーカや端末表示器から出力することで、屋内外にいる地域住民に対して伝達することを目的としたシステムである。
また、前記同報無線システムに付随して備え付けられる選択呼出機能は、報知情報を特定の子局のみ送信する機能であり、特定地区へのみ報知情報を伝達させる場合や、特定行政関連機関へのみ報知情報を伝達させる場合などの情報伝達手段として利用する。親局では扱者が通報を行う際に、報知情報を送信する子局を、当該子局を識別するために付与された個別番号もしくはグループ番号を指定入力し、扱者が呼出操作を実行すると、親局から子局へ同報無線回線を介し、選択呼出信号が送信される。当該選択呼出信号を受信した子局は、当該選択呼出信号に含まれる情報が、自局宛の通報であるか判断し、自局宛であった場合は着信処理を行い、報知情報の出力処理を行う。
【０００３】
前記選択呼出機能の一例として、親局には扱者が通報を行う際に、報知情報を送信する子局を、選択する操作部を有する親局操作卓を設置し、子局には当該子局装置に選択呼出信号を受信して自局宛であるか否かを判断する制御部を設置する。それにより、同報無線通信として親局から子局へ同報無線回線を使用し、親局から子局へ選択呼出信号の伝送を行うことにより、選択呼出機能が実現される。
また、前記同報無線システムに付随して備え付けられる音声サイレン送出機能は、全子局もしくは特定の子局にてサイレンを吹鳴する機能であり、火災や地震等の有事の際や緊急時に、全域もしくは特定地区に対し、サイレン音を伝達させ、地域住民に対して緊急や注意を促す場合に利用する。親局では扱者が前記選択呼出操作を実行し、当該子局が着信処理後にサイレン送出操作を実行することで、親局から子局へ同報無線回線を介し、報知情報としてサイレン信号が送信される。サイレン信号を受信した子局は、報知情報の出力処理を行うことで、サイレン音が吹鳴される。
【０００４】
前記音声サイレン送出機能の一例として、親局には扱者がサイレン通報を行う際に、サイレン信号の音源を有し、且つ、報知情報を送信する子局の選択および送信するサイレン信号のパターンを選択する操作部を有する親局操作卓を設置し、子局には当該子局装置に選択呼出信号を受信して自局宛であるか否かを判断する制御部及びサイレン信号を復調及び音声出力する処理部を設置する。それにより、同報無線通信として親局から子局へ同報無線回線で、親局から子局へサイレン信号の伝送を行うことにより、音声サイレン送出機能が実現される。
【０００５】
また、前記同報無線システムに付随して備え付けられる制御サイレン機能は、サイレン吹鳴の音源を有した子局が、自局の音源を使用してサイレンを吹鳴する機能であり、同報無線回線の制御チャネルのみで情報伝達することができ、火災や地震等の有事の際や緊急時に、全域もしくは特定地区に対し、早急にサイレン音を伝達させ、地域住民に対して緊急や注意を促す場合に利用する。親局では扱者が前記サイレン送出操作を実行した後、選択呼出操作を実行することで、親局から子局へ同報無線回線を介し、報知情報としてサイレン制御信号が送信される。サイレン制御信号を受信した子局は、自局に有したサイレン音源を再生し、出力処理を行うことで、サイレン音が吹鳴される。また、サイレン制御信号を受信した子局がモータサイレン併設局で有る場合、自局に有したサイレン音源の再生処理に代わり、モータサイレン出力処理を行うことで、モータサイレンが吹鳴される。
【０００６】
前記制御サイレン送出機能の一例として、親局には扱者がサイレン通報を行う際に、報知情報を送信する子局の選択および送信するサイレン信号のパターンを選択する操作部を有する親局操作卓を設置し、子局には当該子局装置に選択呼出信号を受信して自局宛であるか否かを判断する制御部、サイレン信号の音源と再生処理および出力する処理部、およびモータサイレンの駆動制御部を設置する。それにより、同報無線通信として親局から子局へ同報無線回線の制御チャネルのみを使用し、親局から子局へ制御サイレン信号の伝送を行うことにより、制御サイレン送出機能が実現される。
【０００７】
従来の一例を、図１のシステム系統図を基に、親局装置から特定地区の子局に対し、制御サイレン通報後に音声通報するケース（図６）と音声サイレン通報後に音声通報するケース（図７）について説明する。
図１は同報無線システムの構成例を示す図である。図６は従来の制御サイレン通報のシーケンス図である。図７は従来の音声サイレン通報のシーケンス図である。
なお、屋外子局１２１はサイレン音源を有し、屋外子局１２２はサイレン音源を有した上にモータサイレン１２３とも併設されている。戸別受信機１２４はサイレン音源を有しない場合である。
【０００８】
親局装置１１０から群エリア１２０に設置された屋外子局１２１，１２２に対し制御サイレン通報後に音声通報するケース（図６）の場合、扱者１００は親局操作卓１１１において、制御サイレンにて吹鳴をさせるサイレンパターンを選択する。続けて、群エリア１２０内に設置された屋外子局１２１、屋外子局１２２及び戸別受信機１２４が属するグループを選択し、呼出操作（８０１）を行うことで、親局操作卓１１１から無線送受信装置１１２に制御サイレン呼出信号を送り（８０２）、同報無線回線の制御チャネルを介し、制御サイレン通報制御信号を送信する（８０３）。また、当該制御サイレン通報制御信号はサイレン起動制御情報と当該信号を着信する呼出先情報も含まれるため、制御チャネルのみでシーケンスが成立する。
【０００９】
前記制御サイレン通報制御信号を受信した子局は、呼出先情報により自局宛か判断して自局宛であれば、サイレン起動制御情報により処理を行う。屋外子局１２１、屋外子局１２２及び戸別受信機１２４が呼出対象であるため、各々当該信号の着信後に次の動作を行う。屋外子局１２１は自局に有するサイレン音源を使用し、当該サイレン起動制御情報より指定のサイレンパターンをスピーカより吹鳴する（８０５）。屋外子局１２２は自局に併設されたモータサイレンを当該サイレン起動制御情報より指定のサイレンパターンで駆動させてモータサイレンより吹鳴する（８０６）。戸別受信機１２４は自局にサイレン音源を有していないため待受状態へ戻る（８０７）。
また、親局操作卓１０１では自装置に有したサイレン音源を使用して、指定したサイレンパターンのサイレン音をモニタ出力（８０４）させることで、扱者１００は子局がサイレン吹鳴していることを認識させている。
【００１０】
続けて、サイレン吹鳴終了後に音声通報する場合、制御サイレン通報と音声通報とでは通報種別が異なるため、一旦、制御サイレン通報を終了させ、再度、音声通報で呼出し直す必要がある。扱者１００は親局操作卓１１１で終話操作（８０８）を行うと、親局操作卓１１１から無線送受信装置１１２に終話信号を送り（８０９）、同報無線回線の制御チャネルを介し、終話信号（８０９）を送信する（８１０）。サイレンを吹鳴した屋外子局１２１及び屋外子局１２２は終話信号を受信し、待受状態（８１１）（８１２）となる。また、戸別受信機１２４は待受状態を維持する（８１３）。
【００１１】
扱者１００は、群エリア１２０内に設置された屋外子局１２１、屋外子局１２２及び戸別受信機１２４が属するグループに対して選択し、音声通報の呼出操作（８１４）を行うことで、親局操作卓１１１から無線送受信装置１１２に音声呼出信号を送り（８１５）、同報無線回線の制御チャネルを介し、音声通報制御信号を送信する（８１６）。前記音声通報制御信号を受信した子局は自局宛か判断し、自局宛であれば、音声通報制御情報により処理を行う。屋外子局１２１、屋外子局１２２及び戸別受信機１２４が呼出対象であるため、各々当該信号の着信後に同報無線回線の通話チャネルへ移行し、スピーカの出力を開く（８１８）（８１９）（８２０）。
【００１２】
親局操作卓１１１は子局がスピーカの出力を開くタイミングで、音声通報可能の表示を行う（８１７）ことで、扱者１００に対しては音声通報可能であることを認識させる。扱者１００はマイクで音声放送（８２１）することより、親局操作卓１１１から無線送受信装置１１２に音声信号を送り（８２２）、同報無線回線の通話チャネルを介し、音声信号を送出する（８２３）。子局１２１，１２２，１２４は受信した音声信号をスピーカより出力する（８２４）（８２５）（８２６）。
扱者１００は音声放送終了後、親局操作卓１１１で終話操作（８２７）を行うと、同報無線回線の制御チャネルを介し、終話信号（８２８）を送信する（８２９）。音声放送した屋外子局１２１、屋外子局１２２及び戸別受信機１２４は終話信号を受信し、待受状態となる（８３０）（８３１）（８３２）。
【００１３】
親局装置１１０から群エリア１２０に設置された子局に対し音声サイレン通報後に音声通報するケース（図７）の場合、扱者１００は親局操作卓１１１において、群エリア１２０内に設置された屋外子局１２１、屋外子局１２２及び戸別受信機１２４が属するグループで音声通報として選択呼出のための音声呼出操作（９０１）を行うことで、親局操作卓１１１から無線送受信装置１１２に音声呼出信号を送り（９０２）、同報無線回線を介し、音声通報制御信号（Ｃｃｈ）を送信する（９０３）。前記音声通報制御信号を受信した子局は自局宛か判断し、自局宛であれば、音声通報制御情報により処理を行う。屋外子局１２１、屋外子局１２２及び戸別受信機１２４が呼出対象であるため、各々当該信号の着信後に同報無線回線の通話チャネルへ移行し、スピーカの出力を開く（９０４）（９０５）（９０６）。
【００１４】
親局操作卓１１１は子局がスピーカの出力を開くタイミングで、音声通報可能の表示を行う（９０７）ことで、扱者１００は子局にサイレン吹鳴させるサイレンパターンを選択すると、親局操作卓１１１では自装置に有したサイレン音源を使用して、指定したサイレンパターンのサイレン音をモニタ出力させる（９０９）と共に無線送受信装置１１２にサイレン音の音声信号を送り（９１０）、当該サイレン音を音声信号として同報無線回線の通話チャネルを介して送出する（９１１）。子局１２１，１２２，１２４は受信した音声信号をスピーカより出力する（９１２）（９１３）（９１４）。
【００１５】
続けて、扱者１００がサイレン吹鳴終了後に音声通報する場合、一旦、親局操作卓１１１で音声切替操作を行う（９１５）。音声サイレン通報はサイレン音を音声信号で送出するため、音声通報と通報種別の区別はない。そのため、音声切替操作（９１５）は音源先をサイレン音源からマイクへと切替えるのみで、通信は継続したままでよく、扱者１００はマイクで音声放送（９１６）することより、無線送受信装置１１２に音声信号を送り（９１７）、同報無線回線の通話チャネルから音声信号（Ｓｃｈ）を送出する（９１８）。子局１２１，１２２，１２４は受信した音声信号をスピーカより出力する（９１９）（９２０）（９２１）。
扱者１００は音声放送終了後、親局操作卓１１１で終話操作（９２２）を行うと、無線送受信装置１１２に終話信号を送り（９２３）、同報無線回線の制御チャネルを介し、終話信号（Ｃｃｈ）を送信する（９２４）。音声放送した屋外子局１２１、屋外子局１２２及び戸別受信機１２４は終話信号を受信し、スピーカを閉じて待受状態となる（９２５）（９２６）（９２７）。
【００１６】
従来の他の一例としては、モータサイレンの接続系統を図８に示す。
図８の同報無線システムは、親局装置４１０と屋外拡声装置１０２０とモータサイレン装置１０３０で構成されている。
親局装置４１０は、屋外拡声装置１０２０と送受信１０４１，１０４２を行う。
モータサイレン、鳴動の方式では、屋外拡声装置の拡声用自局アンプを使用しないで外部のサイレン音源を鳴動させるため、屋外拡声装置の従来からの吹鳴監視方式である自局アンプの入力音の有無による監視ができない。そのためモータサイレン４３２を吹鳴時には、吹鳴起動用の接点（モータサイレン起動信号）出力４５１の制御有無による判定のみを監視機能として使用していた。判定結果は、送信機能付きの子局１０２０については子局監視機能の項目として親局装置４１０へ返送１０４２するが、送信機能なしの子局については自局のログデータとして蓄積するのみで、障害検出時のリカバリー動作は行っていない現状である。
【００１７】
先行技術文献としては、例えば、特許文献１に、運用者が拡声放送中又はその操作中であっても、全国瞬時警報システムから入力があった場合には、拡声台及び回線制御装置は運用者による放送処理を中止又は中断し、全国瞬時警報システムの通報を優先的に実施し、確実に実行する発明が開示されている。
【先行技術文献】
【特許文献】
【００１８】
【特許文献１】特開２０１２−１４７３１８号公報
【発明の概要】
【発明が解決しようとする課題】
【００１９】
背景技術に示した従来のシステムは、制御サイレン通報では同報無線回線の制御チャネルのみでサイレン吹鳴までの起動を行えるシーケンスであり、役所・役場から地域住民に対して早急に報知することができる特徴を有している。しかし、サイレン音源を有していない子局ではサイレン吹鳴を行えない欠点がある。
一方、音声サイレン通報ではサイレン音も親局から送出するため、１つの通信でサイレンと音声を放送することが可能であり、役所・役場から地域住民に対してサイレンと音声との間を切れ目なく報知することができる特徴を有している。しかし、モータサイレンを駆動してサイレンを吹鳴させることができない欠点がある。
本発明の目的は、制御サイレン通報と音声サイレン通報を併用した放送機能を有することである。
また、本発明のもう一つの目的は、モータサイレンからの動作状態、障害状況の情報を使用して、モータサイレンの故障監視、吹鳴状態監視を行い、障害検出時のリカバリー動作によりサイレン吹鳴の信頼性の向上を図ることである。
【課題を解決するための手段】
【００２０】
本発明の同報無線システムは、親局装置と複数の子局とを備えた同報無線システムであって、親局装置はサイレン通報を行うための信号を制御チャネルと通話チャネルで子局へ送信し、複数の子局は親局装置から制御チャネルの信号を受信すると通話チャネルへ移行し、さらに親局装置から通話チャネルの信号を受信すると通話チャネルの信号に基づいたサイレン通報を行う第１の子局とモータサイレンを有しており、親局装置から制御チャネルの信号を受信するとモータサイレンを駆動制御してサイレン通報を行う第２の子局とを有することを特徴とする。
【００２１】
また、親局装置はサイレン吹鳴終了後に音声通報を行うための音声切替操作が行われると複数の子局へサイレン終了制御信号を送信し、第２の子局はサイレン終了制御信号を受信するとモータサイレンの駆動制御から通話チャネルからの音声放送へ切替えることが好ましい。
【００２２】
また、第２の子局はモータサイレンの動作監視を行うサイレン起動制御内部監視部、電子サイレン音を発生させる電子サイレン音発生部、サイレンを吹鳴するスピーカを有しており、サイレン起動制御内部監視部がモータサイレンを鳴動できないと判定した場合、親局装置から制御チャネルの信号を受信すると電子サイレン音発生部が電子サレイン音を発生させ、スピーカから電子サイレン音を吹鳴することが好ましい。
【００２３】
さらに、第２の子局はモータサイレンの動作監視を行うサイレン起動制御内部監視部、サイレンを吹鳴するスピーカを有しており、サイレン起動制御内部監視部がモータサイレンを鳴動できないと判定した場合、親局装置から制御チャネルの信号を受信すると通話チャネルへ移行し、さらに親局装置から通話チャネルの信号を受信すると通話チャネルの信号に基づいたサイレン通報を行うことが好ましい。
【発明の効果】
【００２４】
本発明によれば、制御サイレン通報と音声サイレン通報の両機能を有する。
また、本発明によれば、モータサイレンの故障および吹鳴状態を監視することができる。
【図面の簡単な説明】
【００２５】
【図１】同報無線システムの構成例を示す図である。
【図２】本発明の一実施例である戸別受信機の動作を示すフローである。
【図３】本発明の一実施例であるサイレン通報のシーケンス図である。
【図４】本発明の一実施例であるサイレン通報のシーケンス図である。
【図５】本発明の他の一実施例である同報無線システムのモータサイレン接続系統図である。
【図６】従来の制御サイレン通報のシーケンス図である。
【図７】従来の音声サイレン通報のシーケンス図である。
【図８】従来の同報無線システムのモータサイレン接続系統図である。
【発明を実施するための形態】
【００２６】
以下、本発明の実施形態について図面を参照して詳細に説明する。
（実施例１）
図１は同報無線システムの構成例を示す図である。
図１において、同報無線システムは、親局装置１１０と、群エリア１２０に属する子局と、群エリア１３０に属する子局で構成されている。
親局装置１１０は、扱者１００の操作を受け付ける親局操作卓１１１と、子局との送受信を行う無線送受信装置１１２で構成されている。親局操作卓１１１は、扱者１００から制御サイレン呼出操作が行われると、無線送受信装置１１２を介して子局へ制御サイレン通報を行うための制御サイレン通報制御信号を制御チャネル（Ｃｃｈ）にのせて送信し、音声サイレン通報を行うための音声信号（サイレン音）を通話チャネル（Ｓｃｈ）にのせて送信する。
【００２７】
群エリア１２０内に設置された子局は、屋外子局１２１と屋外子局１２２と戸別受信機１２４である。
群エリア１３０内に設置された子局は、屋外子局１３１と屋外子局１３２と戸別受信機１３４である。屋外子局１３２にはモータサイレン１３３を有している。
なお、屋外子局１２１，１３１はサイレン音源を有し、屋外子局１２２，１３２はサイレン音源を有した上にモータサイレン１２３，１３３とも併設されている。戸別受信機１２４，１３４はサイレン音源を有していないものとする。
【００２８】
ここで、サイレン音源を有していない子局である戸別受信機１２４，１３４の動作について図２を用いて説明する。
図２は本発明の一実施例である戸別受信機の動作を示すフローである。
戸別受信機１２４，１３４は、親局装置１１０から送信された制御サイレン通報制御信号を制御チャネル（Ｃｃｈ）で受信する（Ｓ２１）と、通話チャネル（Ｓｃｈ）による音声放送を行うために通話チャネルへの移行を行い、音声信号を待受ける状態となる（Ｓ２２）。また、受信した音声信号を報知するために、スピーカを開く制御を行う（Ｓ２３）。その後、親局装置１１０から送信された音声信号（サイレン音）を通話チャネル（Ｓｃｈ）で受信する（Ｓ２４）と、その音声信号をアンプで増幅し、Ｓ２３で開いたスピーカから音声信号（サイレン音）を報知することにより、音声サイレン通報を実施する（Ｓ２５）。
【００２９】
次に、本発明の一実施例の動作について図３のシーケンス図を用いて説明する。
図３は本発明の一実施例であるサイレン通報のシーケンス図である。
図３は、親局装置１１０から群エリア１２０に設置された子局（屋外子局１２１，屋外子局１２２，戸別受信機１２４）に対しサイレン通報後に音声通報するケース１の場合である。
なお、子局（屋外子局１２１，屋外子局１２２，戸別受信機１２４）は、スピーカの出力を閉じておく。また、モータサイレン１２３を有する屋外子局１２２は、モータサイレン１２３を吹鳴時にはスピーカの出力を閉じておく。
【００３０】
親局操作卓１１１は、扱者１００によって、制御サイレンにて吹鳴をさせるサイレンパターン選択と、群エリア１２０内に設置された屋外子局１２１、屋外子局１２２及び戸別受信機１２４が属するグループ選択の制御サイレン呼出操作（２０１）が行われると、無線送受信装置１１２に制御サイレン呼出信号を送る（２０２）。無線送受信装置１１２は同報無線回線の制御チャネルを介し、制御サイレン通報制御信号（Ｃｃｈ）を屋外子局１２１と屋外子局１２２と戸別受信機１２４に送信する（２０３）。なお、当該制御サイレン通報制御信号にはサイレン起動制御情報と当該信号を着信する呼出先情報も含まれる。
【００３１】
前記制御サイレン通報制御信号を受信した子局（屋外子局１２１、屋外子局１２２、戸別受信機１２４）は、呼出先情報により自局宛か判断して自局宛であれば、サイレン起動制御情報により処理を行う。屋外子局１２１、屋外子局１２２及び戸別受信機１２４は自局が呼出対象であるため、各々当該信号の着信後に次の動作を行う。
屋外子局１２１は、自局に有するサイレン音源を使用し、当該サイレン起動制御情報より指定のサイレンパターンをスピーカの出力を開いて吹鳴する（２０７）。
屋外子局１２２は、自局に併設されたモータサイレンを当該サイレン起動制御情報より指定のサイレンパターンで駆動させてモータサイレンを吹鳴する（２０８）。
戸別受信機１２４は、自局にサイレン音源を有していないため通話チャネルへ移行し、スピーカの出力を開く。
【００３２】
また、親局操作卓１１１は自装置に有したサイレン音源を使用して、指定したサイレンパターンのサイレン音をモニタ出力（２０４）させ、扱者１００に子局がサイレン吹鳴していることを認識させると共に、当該サイレン音を音声信号として無線送受信装置１１２に送り（２０５）、無線送受信装置１１２から同報無線回線の通話チャネルを介して音声信号のサイレン音（Ｓｃｈ）を送出（２０６）することで、前記戸別受信機１２４が音声サイレンをスピーカから放送（出力）する（２０９）。
【００３３】
なお、屋外子局１２１、屋外子局１２２、戸別受信機１２４は、サイレンを略同時に出力できるようにしてもよい。サイレンを略同時に出力するためには、各子局に応じた遅延器等を用いてもよい。
【００３４】
続けて、サイレン吹鳴終了後に音声通報する場合、について説明する。
親局操作卓１１１は、扱者１００によって音声切替操作（２１０）が行われると、音源先をサイレン音源からマイクへと切替えると共に、通信を継続した状態で、音声切替信号を無線送受信装置１１２に送る（２１１）。無線送受信装置１１２は、同報無線回線の制御チャネル（Ｃｃｈ）を介して、屋外子局１２１、屋外子局１２２、戸別受信機１２４に制御サイレン終了制御信号を送信する（２１２）。当該制御サイレン終了制御を受信した屋外子局１２１は自局に有するサイレン音源から通話チャネルからの音声放送へ切替え、屋外子局１２２は自局に併設されたモータサイレン駆動制御から通話チャネルからの音声放送へ切替えてスピーカを開く（２１４）。戸別受信機１２４は自局にサイレン音源を有していないため音声通報状態を継続する。
【００３５】
また、親局操作卓１１１は音声切替操作に伴う処理を終えると、前記音声通報可能の表示（２１３）を行うことで、扱者１００が音声放送するタイミングを認識することができる。
親局操作卓１１１は、扱者１００がマイクで音声放送（２１５）すると、音声信号（２１５）を無線送受信装置１１２に送り（２１６）、無線送受信装置１１２が同報無線回線の通話チャネルから音声信号（Ｓｃｈ）を送出する（２１７）。子局（屋外子局１２１、屋外子局１２２、戸別受信機１２４）は受信した音声信号をスピーカより出力する（２１８）（２１９）（２２０）。
【００３６】
親局操作卓１１１は、音声放送終了後、扱者１００が終話操作（２２１）を行うと、終話信号を無線送受信装置１１２に送り（２２２）、無線送受信装置１１２が同報無線回線の制御チャネル（Ｃｃｈ）を介し、終話制御信号を屋外子局１２１、屋外子局１２２、戸別受信機１２４に送信する（２２３）。音声放送した屋外子局１２１、屋外子局１２２及び戸別受信機１２４は終話信号を受信した場合、スピーカの出力を閉じ、待受状態とする（２２４）（２２５）（２２６）。
【００３７】
次に、本発明の一実施例の動作について図４のシーケンス図を用いて説明する。
図４は本発明の一実施例であるサイレン通報のシーケンス図である。
図４は、親局装置１１０から群エリア１２０に設置された子局（屋外子局１２１，屋外子局１２２，戸別受信機１２４）に対し音声通報後にサイレン通報するケース２の場合である。
なお、子局（屋外子局１２１，屋外子局１２２，戸別受信機１２４）は、スピーカの出力を閉じておく。また、モータサイレン１２３を有する屋外子局１２２は、モータサイレン１２３を吹鳴時にはスピーカの出力を閉じておく。
【００３８】
親局操作卓１１１は、扱者１００によって、群エリア１２０内に設置された屋外子局１２１、屋外子局１２２及び戸別受信機１２４が属するグループで音声通報を行うための音声呼出操作（３０１）がなされると、無線送受信装置１１２に音声呼出信号を送る（３０２）。無線送受信装置１１２は同報無線回線を介し、音声通報制御信号（Ｃｃｈ）を屋外子局１２１、屋外子局１２２、戸別受信機１２４に送信する（３０３）。
【００３９】
前記音声通報制御信号を受信した子局（屋外子局１２１、屋外子局１２２、戸別受信機１２４）は自局宛か判断し、自局宛であれば、音声通報制御情報により処理を行う。屋外子局１２１、屋外子局１２２及び戸別受信機１２４が呼出対象であるため、各々当該信号の着信後に同報無線回線の通話チャネルへ移行し、スピーカの出力を開く（３０５）（３０６）（３０７）。
親局操作卓１１１は子局（屋外子局１２１、屋外子局１２２、戸別受信機１２４）がスピーカの出力を開くタイミングで、音声通報可能の表示（３０４）を行うことで、扱者１００が音声放送するタイミングを認識することができる。
【００４０】
親局操作卓１１１は、扱者１００がマイクで音声放送（３０８）することにより、無線送受信装置１１２に音声信号を送る（３０９）。無線送受信装置１１２は同報無線回線の通話チャネル（Ｓｃｈ）から音声信号を屋外子局１２１、屋外子局１２２、戸別受信機１２４に送出する（３１０）。子局（屋外子局１２１、屋外子局１２２、戸別受信機１２４）は受信した音声信号をスピーカより出力する（３１１）（３１２）（３１３）。
【００４１】
続けて、音声放送終了後にサイレン通報する場合、について説明する。
親局操作卓１１１は、扱者１００によってサイレンにて吹鳴をさせる。サイレンパターン選択操作（３１４）が行われると、音源先をマイクからサイレン音源へと切替えると共に無線送受信装置１１２に制御サイレン呼出信号を送る（３１５）。無線送受信装置１１２は通信を継続した状態で、同報無線回線の制御チャネル（Ｃｃｈ）を介し、制御サイレン通報制御信号を屋外子局１２１、屋外子局１２２、戸別受信機１２４に送信する（３１６）。
前記制御サイレン通報制御信号を受信した子局（屋外子局１２１、屋外子局１２２、戸別受信機１２４）は、サイレン起動制御情報により処理を行う。
【００４２】
屋外子局１２１は、自局に有するサイレン音源を使用し、当該サイレン起動制御情報より指定のサイレンパターンをスピーカより吹鳴する（３１７）。
屋外子局１２２は、スピーカを閉じて（３１８）、自局に併設されたモータサイレン１２３を当該サイレン起動制御情報より指定のサイレンパターンで駆動させてモータサイレン１２３より吹鳴する（３１９）。
戸別受信機１２４は自局にサイレン音源を有していないため通話チャネルへ移行し、スピーカの出力を開く（３２０）。
【００４３】
また、親局操作卓１１１では自装置に有したサイレン音源を使用して、指定したサイレンパターンのサイレン音をモニタ出力（３２１）させ、扱者１００が子局にサイレン吹鳴していることを認識させると共に無線送受信装置１１２にサイレン音の音声信号を送る（３２２）。無線送受信装置１１２はサイレン音の音声信号を同報無線回線の通話チャネル（Ｓｃｈ）を介し送出する（３２３）。
戸別受信機１２４は、スピーカから音声サイレンを放送（出力）する（３２４）。
なお、屋外子局１２１、屋外子局１２２、戸別受信機１２４は、サイレンを略同時に出力できるようにしてもよい。
【００４４】
親局操作卓１１１は、サイレン吹鳴後、扱者１００の終話操作（３２５）を受け付けると、無線送受信装置１１２に終話信号を送る（３２６）。無線送受信装置１１２は同報無線回線の制御チャネル（Ｃｃｈ）を介し、終話信号を子局（屋外子局１２１、屋外子局１２２、戸別受信機１２４）に送信する（３２７）。
屋外子局１２１は、スピーカの出力を閉じ、待受状態にする（３２８）。
屋外子局１２２は、待受状態にする（３２９）。
戸別受信機１２４は、スピーカの出力を閉じ、待受状態にする（３３０）。
【００４５】
（実施例２）
図５は本発明の他の一実施例である同報無線システムのモータサイレン接続系統図である。
図５の同報無線システムは、親局装置４１０と屋外拡声装置４２０とモータサイレン装置４３０で構成されている。
親局装置４１０は、屋外拡声装置４２０と送受信４４１，４４２を行う。
【００４６】
屋外拡声装置４２０は、送受信部４２１、アンテナ４２２、アンプ部４２３、スピーカ４２４、電子サイレン発生部４２５、モータサイレン起動制御部４２６で構成されている。
モータサイレン起動制御部４２６はサイレン起動制御内部監視部４２７を有している。
モータサイレン装置４３０は、モータサイレン制御部４３１、モータサイレン４３２、集音マイク４３４で構成されている。
【００４７】
モータサイレン起動制御部４２６は、モータサイレン４３２からモータサイレン音を吹鳴する場合には、モータサイレン制御部４３１にモータサイレン起動信号４５１を送り、スピーカ４２４から内蔵電子サイレン音を吹鳴する場合には、電子サイレン発生部４２５で内蔵電子サイレン音を発生させ、アンプ部４２３で内蔵電子サイレン音の音量を増幅させ、スピーカ４２４から内蔵電子サイレン音４２８を吹鳴させ、スピーカ４２４から音声サイレンを吹鳴する場合には、親局装置４１０から送信された音声信号を、アンプ部４２３で増幅させ、スピーカ４２４から音声サイレンとして吹鳴させる。
モータサイレン制御部４３１は、モータサイレン起動制御部４２６にモータサイレン機器異常信号４５２、モータサイレン起動中信号４５３、モータサイレン吹鳴中信号４５４を送る。
【００４８】
次に、本発明の他の一実施例である同報無線システムのモータサイレン起動制御が異常時の場合の動作を説明する。
図５において、親局装置４１０は、サイレンを吹鳴させる場合には屋外拡声装置４２０に制御サイレン通報制御信号と音声信号を送信（４４１）する。
屋外拡声装置４２０の送受信部４２１は、親局装置４１０から制御サイレン通報制御信号と音声信号を受信すると、モータサイレン起動制御部４２６にモータサイレン起動指示を出す。
【００４９】
モータサイレン起動指示を受けたモータサイレン起動制御部４２６は、モータサイレン装置４３０のモータサイレン制御部４３１にモータサイレン起動信号４５１を出力すると共にサイレン起動制御内部監視部４２７をモータサイレンの監視状態にする。
【００５０】
モータサイレン起動制御部４２６は、サイレン起動制御内部監視部４２７がモータサイレン起動制御に故障等で異常を検知した場合には、送受信部４２１からアンテナ４２２を介して親局装置４１０にサイレン監視で異常が生じている旨を通報（４４２）する。
親局装置４１０は、サイレン監視で異常を屋外拡声装置４２０から受信した場合には、図示していない表示部にモータサイレン起動制御に異常がある旨を表示する。
【００５１】
さらに、モータサイレン起動制御部４２６は、モータサイレン起動が不可であると判定し、内蔵電子サイレンの起動に切替える。つまり、モータサイレン起動制御部４２６は、電子サイレン発生部４２５で内蔵電子サイレン音を発生させ、アンプ部４２３で内蔵電子サイレン音の音量を増幅させ、スピーカ４２４から内蔵電子サイレン音４２８を吹鳴させる。
【００５２】
次に、本発明の他の一実施例である同報無線システムのモータサイレン起動制御、駆動中、吹鳴中が異常時の場合の動作を説明する。
図５において、モータサイレン起動制御部４２６は、モータサイレン４３２からモータサイレン音を吹鳴させる場合には、モータサイレン制御部４３１にモータサイレン起動信号４５１を出力すると共にサイレン起動制御内部監視部４２７をモータサイレンの監視状態にする。
【００５３】
モータサイレン装置４３０のモータサイレン制御部４３１は、屋外拡声装置４２０のモータサイレン起動制御部４２６からモータサイレン起動信号４５１を受信した場合にはモータサイレン４３２にモータサイレン音を吹鳴させる指示を出すと共に屋外拡声装置４２０のモータサイレン起動制御部４２６にモータサイレン駆動中信号４５２とモータサイレン吹鳴中信号４５４を送る。
【００５４】
また、モータサイレン制御部４３１は、モータサイレン４３２に吹鳴指示を出しているにもかかわらず、故障等でモータサイレン音を吹鳴できない場合には、モータサイレン起動制御部４２６にモータサイレン機器異常信号４５２を送る。
【００５５】
モータサイレン起動制御部４２６は、サイレン起動制御内部監視部４２７がモータサイレン起動制御に故障等で異常を検知した場合には、送受信部４２１からアンテナ４２２を介して親局装置４１０にサイレン監視で異常が生じている旨を通報（４４２）する。
親局装置４１０は、サイレン監視で異常を屋外拡声装置４２０から受信した場合には、図示していない表示部にモータサイレン起動制御に異常がある旨を表示する、または図示していないスピーカから異常を伝える音を出力する。
【００５６】
さらに、モータサイレン起動制御部４２６は、モータサイレン起動が不可であると判定し、内蔵電子サイレンの起動に切替える。つまり、モータサイレン起動制御部４２６は、電子サイレン発生部４２５で内蔵電子サイレン音を発生させ、アンプ部４２３で内蔵電子サイレン音の音量を増幅させ、スピーカ４２４から内蔵電子サイレン音４２８を吹鳴させる。
【００５７】
次に、本発明の他の一実施例である同報無線システムの疑似サイレン音鳴動で吹鳴音声検出が異常時の場合の動作を説明する。
なお、疑似サイレン音とは、モータサイレンから吹鳴するサイレン音ではなく、スピーカから出力する電子サイレン音のことである。
図５において、モータサイレン起動制御部４２６は、親局装置４１０からアンテナ４２２、送受信部４２１を介して電子サイレン音鳴動の指示を受信すると、電子サイレン音発生部４２５に対して電子サイレン音発生の指示を出力すると共にモータサイレン装置４３０に集音の指示を出す。
また、モータサイレン起動制御部４２６は、サイレン起動制御内部監視部４２７を監視状態にする。
【００５８】
電子サイレン音発生部４２５は、発生させた電子サイレン音をアンプ部４２３で電子サイレン音を所定の音量に増幅させ、スピーカ４２４を介して鳴動させる。
モータサイレン装置４３０は、モータサイレン制御部４３１が集音マイク４３４でスピーカ４２４から出力された内蔵電子サイレン音４２８を集音させる。
集音マイク４３４は、集音した吹鳴音声検出信号７３５をモータサイレン制御部４３１に送る。
モータサイレン制御部４３１は、吹鳴音声検出信号７３５を屋外拡声装置４２０のモータサイレン起動制御部４２６に送る。
【００５９】
サイレン起動制御内部監視部４２７は、モータサイレン起動制御部４２６から監視状態の指示を受けてから所定時間経過後に吹鳴音声検出信号７３５を受信できない場合には内蔵電子サイレン音の鳴動に異常ありと判定する。
モータサイレン起動制御部４２６は、サイレン起動制御内部監視部４２７の異常判定を送受信部４２１からアンテナ４２２を介して親局装置４１０に内蔵電子サイレン監視で異常が生じている旨を通報（４４２）する。
【００６０】
さらに、モータサイレン起動制御部４２６は、内蔵電子サイレンの吹鳴が不可であると判定し、音声サイレンの起動に切替える。つまり、モータサイレン起動制御部４２６は、親局装置４１０から制御サイレン通報制御信号を受信すると、通話チャネルへ移行し、スピーカを開く制御を行い、親局装置４１０から送信された音声信号を、アンプ部４２３で増幅させ、スピーカ４２４から音声サイレン４２８として吹鳴させるようにする。
【００６１】
親局装置４１０は、電子サイレン監視で異常を屋外拡声装置４２０から受信した場合には、図示していない表示部にモータサイレン起動制御に異常がある旨を表示する、または図示していないスピーカから異常を伝える音を出力する。
なお、親局装置４１０は、電子サイレン監視で異常を屋外拡声装置４２０から受信した場合には、モータサイレン４３２からモータサイレン音を吹鳴するため、屋外拡声装置４２０にモータサイレン音の吹鳴する指示を出してもよい。
【００６２】
本発明の実施形態である同報無線システムは、制御サイレン通報と音声サイレン通報を併用した放送機能を有することである。
また、本発明の実施形態である同報無線システムは、モータサイレンからの動作状態、障害状況の情報からモータサイレンの故障監視、吹鳴状態監視することができる。
【００６３】
以上、本発明の一実施形態について詳細に説明したが、本発明は上述した実施形態に限定されるものではなく、本発明の趣旨を逸脱しない範囲で種々変更して実施することができる。
【００６４】
例えば、屋外拡声装置のモータサイレン起動制御部４２６は、モータサイレン起動が不可であると判定し、内蔵電子サイレンの起動に切替える実施例を記載したが、内蔵電子サイレンの起動に切替えるのではなく、親局装置４１０から送信された音声信号を、アンプ部４２３で増幅させ、スピーカ４２４から音声サイレン４２８として吹鳴させるように制御してもよい。この場合、モータサイレンを有する屋外子局は、親局装置４１０から制御サイレン通報制御信号（Ｃｃｈ）を受信すると、通話チャネルへ移行し、スピーカを開く制御を行い、親局装置４１０から受信した音声信号（Ｓｃｈ）を、アンプ部４２３で増幅させ、スピーカ４２４から音声サイレン４２８として吹鳴させるようにする。
【産業上の利用可能性】
【００６５】
制御サイレン通報と音声サイレン通報を併用することによって、確実にサイレンを通報した用途に適用できる。
【符号の説明】
【００６６】
１００：扱者、１１０：親局装置、１１１：親局操作卓、１１２：無線送受信装置、１２０，１３０：群エリア、１２１，１２２，１３１，１３２：屋外子局、１２３，１３３：モータサイレン、１２４，１３４：戸別受信機、４１０：親局装置、４２０，１０２０：屋外拡声装置、４２１：送受信部、４２２：アンテナ、４２３：アンプ部、４２４：スピーカ、４２５：電子サイレン発生部、４２６，１０２６：モータサイレン起動制御部、４２７：サイレン起動制御内部監視部、４２８：内蔵電子サイレン音／音声サイレン、４３０，１０３０：モータサイレン装置、４３１：モータサイレン制御部、４３２：モータサイレン、４３４：集音マイク、４４１，４４２，１０４１，１０４２：電波、４５１：モータサイレン起動信号、４５２：モータサイレン機器異常信号、４５３：モータサイレン駆動中信号、４５４：モータサイレン吹鳴中信号、７３５：吹鳴音声検出信号。
【図１】
0006637314.tif 000002
【図２】
0006637314.tif 000003
【図３】
0006637314.tif 000004
【図４】
0006637314.tif 000005
【図５】
0006637314.tif 000006
【図６】
0006637314.tif 000007
【図７】
0006637314.tif 000008
【図８】
0006637314.tif 000009